(57)【要約】【課題】出力データのデータフォーマット情報を、表示部に継続的にまたはユーザからの要求に応じて表示する処理を実行する構成を提供する。【解決手段】例えば撮像装置や、ＤＶＤプレーヤなど映像データを外部出力する情報処理装置において、データ出力先機器の表示可能なフォーマット情報を取得し、出力するデータのデータフォーマットを決定し、決定した出力データのデータフォーマット情報を、表示部に継続的にまたはユーザからの要求に応じて表示する処理を実行する。本構成により、ユーザは、任意のタイミングで出力されているデータのフォーマット情報を確認することが可能となる。【選択図】図１
2007193157.tif 000002
【特許請求の範囲】
【請求項１】
データ出力部と、
表示部と、
前記データ出力部を介するデータ出力先機器の表示可能なフォーマット情報を取得し、出力データのデータフォーマットを決定する制御部とを有し、
前記制御部は、
前記データ出力部を介する出力データのデータフォーマット情報を前記表示部に、継続的に、またはユーザからの要求に応じて表示する処理を実行する構成であることを特徴とする情報処理装置。
【請求項２】
前記表示部は、
ユーザの操作情報の入力可能な操作部を表示可能な構成であり、
前記制御部は、
前記表示部に表示された操作部を介するユーザ操作情報の入力に応じて、出力データのデータフォーマット情報を前記表示部に表示する処理を実行する構成であることを特徴とする請求項１に記載の情報処理装置。
【請求項３】
前記制御部は、
前記データ出力部を介する出力データのデータフォーマット情報として、出力データの解像度情報、出力データのサイズ情報の少なくともいずれかの情報を含むデータフォーマット情報を前記表示部に、継続的に、またはユーザからの要求に応じて表示する処理を実行する構成であることを特徴とする請求項１に記載の情報処理装置。
【請求項４】
データ出力部を介してデータ出力を実行する情報処理装置において実行される情報処理方法であり、
制御部において、前記データ出力部を介するデータ出力先機器の表示可能なフォーマット情報を取得し、出力データのデータフォーマットを決定するフォーマット決定ステップと、
制御部において、前記データ出力部を介する出力データのデータフォーマット情報を表示部に、継続的に、またはユーザからの要求に応じて表示する処理を実行するフォーマット情報表示ステップと、
を有することを特徴とする情報処理方法。
【請求項５】
前記表示部は、
ユーザの操作情報の入力可能な操作部を表示可能な構成であり、
前記フォーマット情報表示ステップは、
前記表示部に表示された操作部を介するユーザ操作情報の入力に応じて、出力データのデータフォーマット情報を前記表示部に表示する処理を実行するステップであることを特徴とする請求項４に記載の情報処理方法。
【請求項６】
前記フォーマット情報表示ステップは、
前記データ出力部を介する出力データのデータフォーマット情報として、出力データの解像度情報、出力データのサイズ情報の少なくともいずれかの情報を含むデータフォーマット情報を前記表示部に、継続的に、またはユーザからの要求に応じて表示する処理を実行するステップであることを特徴とする請求項４に記載の情報処理方法。
【請求項７】
データ出力部を介してデータ出力を実行する情報処理装置において情報処理を実行させるコンピュータ・プログラムであり、
制御部において、前記データ出力部を介するデータ出力先機器の表示可能なフォーマット情報を取得し、出力データのデータフォーマットを決定させるフォーマット決定ステップと、
制御部において、前記データ出力部を介する出力データのデータフォーマット情報を表示部に、継続的に、またはユーザからの要求に応じて表示する処理を実行させるフォーマット情報表示ステップと、
を実行させることを特徴とするコンピュータ・プログラム。
【発明の詳細な説明】
【技術分野】
【０００１】
本発明は、情報処理装置、および情報処理方法、並びにコンピュータ・プログラムに関する。さらに詳細には、デジタルインタフェースを介するデータ出力構成を持つ装置において、出力データのフォーマット情報についての確認を常に可能とした情報処理装置、および情報処理方法、並びにコンピュータ・プログラムに関する。
【背景技術】
【０００２】
例えばデジタルビデオカメラやＤＶＤプレーヤ、あるいはＰＣなどの情報処理装置から映像データを含むデジタルデータを外部出力する場合のインタフェース規格として、ＤＶＩ（Digital Visual Interface）規格が知られている。さらに、ＤＶＩ規格をベースとして、音声信号を併せて出力可能としたＨＤＭＩ（High Definition Multimedia Interface）規格が知られている。
【０００３】
このようなＨＤＭＩやＤＶＩでは、出力先としてのディスプレイである映像表示装置の表示可能な映像フォーマットを、データ出力側の装置で検出し、映像出力を行なう装置側で、最適な出力映像フォーマットを自動で選択して出力することが可能となった。なお、このような映像データの出力構成については、特許文献１に記載されている。
【０００４】
しかし、このようなインタフェース規格を適用したデータ出力構成においては、データ出力側の装置において、自動的に出力映像フォーマットを決定する処理が行なわれるために、ユーザは、実際に出力されている映像フォーマットの情報を得るためには何らかの確認手段を用いることが必要となる。例えば出力フォーマットの確認手段としては、出力される映像に出力映像フォーマットを示す表示を重畳して出力する方法や、映像を出力する装置側の表示部に出力映像フォーマット情報を表示する方法などがある。
【０００５】
しかし、出力される映像に表示を重畳する手法では、例えば、トラブルで映像表示装置に映像が表示されない場合などには、出力映像フォーマットの確認できないという問題点がある。また、映像を出力する装置側の表示部に出力映像フォーマット情報を表示する手法を適用した場合、例えばデジタルカメラなどの小型の装置などには、十分な表示領域がないために、出力映像フォーマット情報の表示を継続して実行することができないという問題がある。例えば、小型のビデオカメラなどでは外部の表示装置との接続時にのみ出力映像フォーマット情報を提示する構成のものが多い。また、出力映像フォーマット情報を表示している間は、他の情報の表示ができなくなるといった問題点がある。
【特許文献１】特開２００１−８４２１４号公報
【発明の開示】
【発明が解決しようとする課題】
【０００６】
本発明は、上述の問題点に鑑みてなされたものであり、様々なフォーマットでのデータ出力を実行する情報処理装置において出力されているデータフォーマット情報を任意のタイミングで確認することを可能とした情報処理装置、および情報処理方法、並びにコンピュータ・プログラムを提供することを目的とする。
【課題を解決するための手段】
【０００７】
本発明の第１の側面は、
データ出力部と、
表示部と、
前記データ出力部を介するデータ出力先機器の表示可能なフォーマット情報を取得し、出力データのデータフォーマットを決定する制御部とを有し、
前記制御部は、
前記データ出力部を介する出力データのデータフォーマット情報を前記表示部に、継続的に、またはユーザからの要求に応じて表示する処理を実行する構成であることを特徴とする情報処理装置にある。
【０００８】
さらに、本発明の情報処理装置の一実施態様において、前記表示部は、ユーザの操作情報の入力可能な操作部を表示可能な構成であり、前記制御部は、前記表示部に表示された操作部を介するユーザ操作情報の入力に応じて、出力データのデータフォーマット情報を前記表示部に表示する処理を実行する構成であることを特徴とする。
【０００９】
さらに、本発明の情報処理装置の一実施態様において、前記制御部は、前記データ出力部を介する出力データのデータフォーマット情報として、出力データの解像度情報、出力データのサイズ情報の少なくともいずれかの情報を含むデータフォーマット情報を前記表示部に、継続的に、またはユーザからの要求に応じて表示する処理を実行する構成であることを特徴とする。
【００１０】
さらに、本発明の第２の側面は、
データ出力部を介してデータ出力を実行する情報処理装置において実行される情報処理方法であり、
制御部において、前記データ出力部を介するデータ出力先機器の表示可能なフォーマット情報を取得し、出力データのデータフォーマットを決定するフォーマット決定ステップと、
制御部において、前記データ出力部を介する出力データのデータフォーマット情報を表示部に、継続的に、またはユーザからの要求に応じて表示する処理を実行するフォーマット情報表示ステップと、
を有することを特徴とする情報処理方法にある。
【００１１】
さらに、本発明の情報処理方法の一実施態様において、前記表示部は、ユーザの操作情報の入力可能な操作部を表示可能な構成であり、前記フォーマット情報表示ステップは、前記表示部に表示された操作部を介するユーザ操作情報の入力に応じて、出力データのデータフォーマット情報を前記表示部に表示する処理を実行するステップであることを特徴とする。
【００１２】
さらに、本発明の情報処理方法の一実施態様において、前記フォーマット情報表示ステップは、前記データ出力部を介する出力データのデータフォーマット情報として、出力データの解像度情報、出力データのサイズ情報の少なくともいずれかの情報を含むデータフォーマット情報を前記表示部に、継続的に、またはユーザからの要求に応じて表示する処理を実行するステップであることを特徴とする。
【００１３】
さらに、本発明の第３の側面は、
データ出力部を介してデータ出力を実行する情報処理装置において情報処理を実行させるコンピュータ・プログラムであり、
制御部において、前記データ出力部を介するデータ出力先機器の表示可能なフォーマット情報を取得し、出力データのデータフォーマットを決定させるフォーマット決定ステップと、
制御部において、前記データ出力部を介する出力データのデータフォーマット情報を表示部に、継続的に、またはユーザからの要求に応じて表示する処理を実行させるフォーマット情報表示ステップと、
を実行させることを特徴とするコンピュータ・プログラムにある。
【００１４】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００１５】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００１６】
本発明の一実施例の構成によれば、例えば撮像装置や、ＤＶＤプレーヤなど映像データを外部出力する情報処理装置において、データ出力部を介して接続されたデータ出力先機器から表示可能なフォーマット情報を取得し、出力するデータについてのデータフォーマットを決定し、決定した出力データのデータフォーマット情報を、表示部に、継続的にまたはユーザからの要求に応じて表示する処理を実行する構成としたので、ユーザは、任意のタイミングで出力データのフォーマット情報を確認することが可能となる。
【発明を実施するための最良の形態】
【００１７】
以下、図面を参照しながら、本発明の情報処理装置、および情報処理方法、並びにコンピュータ・プログラムの詳細について説明する。
【００１８】
まず、図１を参照して、本発明の情報処理装置の一実施例としての撮像装置におけるデータの出力構成例について説明する。図１には、本発明の情報処理装置の一実施例としての撮像装置（ビデオカメラ）１００を示している。撮像装置（ビデオカメラ）１００は、デジタルデータの出力に適用する外部出力端子１０１を備えており、撮像装置１００における撮影処理によって撮像装置内の記憶部に記録されたデータ、具体的には、映像データおよび音声データを外部出力端子１０１、およびケーブル１１１を介して外部の機器、例えば図１に示すモニタ１１２に出力し再生することができる。
【００１９】
このデータ出力に際しては、デジタルデータを外部出力する場合のインタフェース規格として、先に説明したＤＶＩ（Digital Visual Interface）規格や、ＨＤＭＩ（High Definition Multimedia Interface）規格が利用される。撮像装置１００が、ＨＤＭＩやＤＶＩを利用したデータ出力を行なう場合、撮像装置１００は、出力先としてのモニタ１１２の表示可能な映像フォーマットを検出し、最適な出力映像フォーマットを自動選択して出力する。
【００２０】
本発明の情報処理装置、すなわち、例えば図１に示す撮像装置１００は、外部出力端子１０１を介して外部の機器、例えば図１に示すモニタ１１２に出力されているデータフォーマット情報を任意のタイミングでユーザが知ることを可能とするため、撮像装置１００の表示部１０２に、外部出力端子１０１を介して出力されているデータのフォーマット情報を提示する処理を行なう。
【００２１】
例えば、図１に示す画面１２０に示すような出力データフォーマット情報１２１を、表示部１０２に表示する。図に示す例では、出力先のモニタのＴＶタイプおよび解像度情報を出力データフォーマット情報１２１として提示した例を示している。すなわち、
ＴＶタイプ＝１６：９
解像度＝１９２０×１０８０ｉ
であることが示され、出力データは、１６：９のモニタに対応する１９２０×１０８０ｉの解像度を持つ映像データであることが示されている。
【００２２】
なお、解像度＝１９２０×１０８０ｉにおいて示されている［ｉ］はインタレースを表し、走査方式がインタレース方式であることを意味している。例えば、解像度＝１９２０×１０８０ｐと示された場合は、［ｐ］はプログレッシブを表し、走査方式がプログレッシブ方式であることを意味する。
【００２３】
次に、図２を参照して、本発明の情報処理装置の一例である撮像装置のハードウェア構成例について説明する。例えば、デジタルビデオカメラである撮像装置２００は、外部出力端子としてＨＤＭＩ端子２１０を備えた撮像装置であり、撮像部２０１とマイク２０４から映像および音声データを取得し、それぞれ映像処理部２０２、音声処理部２０３においてデジタルデータへの変換、データ圧縮などのエンコード処理がなされ、データバス２０６を介して記録メディア２０５に格納される。これらの処理制御は、制御部としてのＣＰＵ２０７が、例えばＲＡＭ，ＲＯＭ等によって構成されるメモリ２０８に格納されたプログラムに従って実行する。
【００２４】
記録メディア２０５は、例えば、ＤＶテープやＤＶＤディスク、ＨＤＤやＦｌａｓｈメモリ等、さまざまナメディアが適用可能である。撮像装置２００のＨＤＭＩ端子２１０に、ＴＶモニタ２１３をＨＤＭＩケーブル２１２で接続することにより、撮像装置１００は、ＴＶモニタ２１３の表示可能映像フォーマット情報を取得し、撮像部２０１とマイク２０４の取得した映像および音声データ、または記録メディア２０５に記録済みのデータを、ＴＶモニタ２１３の表示可能映像フォーマットに適合するフオーマットに設定して出力する。このフォーマット変換は、映像フォーマット変換部２０９において実行される。なお、これらの一連の処理の制御も、制御部としてのＣＰＵ２０７が、例えばＲＡＭ，ＲＯＭ等によって構成されるメモリ２０８に格納されたプログラムに従って実行する。
【００２５】
ＣＰＵ２０７は、ＴＶモニタ２１３の表示可能映像フォーマットに適合する最適な出力映像フォーマットを決定し、映像フォーマット変換部２０９において決定された最適な出力映像フォーマットに変換し、ＨＤＭＩ端子２１０、ＨＤＭＩケーブル２１２を介してＴＶモニタ２１３にデータが出力される。
【００２６】
このデータ出力に際して、出力データのフォーマット情報が表示部（液晶パネル）２１１に表示される。たとえばユーザが、タッチパネルとして利用可能な表示部（液晶パネル）２１１に表示されたＧＵＩボタンを操作することにより、出力データのフォーマット情報を表示部（液晶パネル）２１１に表示し、確認することができる。例えば図３に示すように、撮像装置の表示部２１１には、出力データのフォーマット情報として、
ＴＶタイプ＝１６：９
解像度＝１９２０×１０８０ｉ
であることが示され、出力データが、１６：９のモニタに対応する１９２０×１０８０の解像度、インタレース方式で出力されていることを確認することができる。なお、図に示す表示態様は、一例であり、この他、さらに詳細なフォーマット情報を表示する構成としてもよいし、また、アイコンを用いてフォーマット情報を表示する構成としてもよい、
【００２７】
なお、ユーザは、タッチパネルとして利用可能な表示部（液晶パネル）２１１に表示されたＧＵＩボタンを操作することにより、表示された出力データフォーマットの情報を消し、その他の情報表示を行なうことも可能である。図４を参照して、表示部（液晶パネル）２１１に表示される情報の遷移例について説明する。
【００２８】
図４には、表示部（液晶パネル）２１１に表示される以下の４つの表示画面例を示している。
（ａ）ノーマル画面
（ｂ）メニュー画面−１
（ｃ）メニュー画面−２
（ｄ）出力データフォーマット提示画面
【００２９】
例えば初期的な画面は、（ａ）ノーマル画面、または（ｂ）メニュー画面−１が、表示部（液晶パネル）２１１に表示され、（ａ）ノーマル画面に表示されたメニューボタンにユーザが触れることで、（ｂ）メニュー画面−１に遷移する。さらに、（ｂ）メニュー画面−１に表示されたメニューボタンにユーザが触れることで、（ｃ）メニュー画面−２に遷移する。また、（ｂ）メニュー画面−１、または、（ｃ）メニュー画面−２が提示された状態で、ステータスチェック（ＳＴＡＴＵＳ  ＣＨＥＣＫ）ボタンに触れることで、（ｄ）出力データフォーマット提示画面が表示され、この（ｄ）出力データフォーマット提示画面において、ユーザは、ＨＤＭＩ端子２１０を介してＴＶモニタ２１３に出力されているデータのフォーマット情報を知ることができる。
【００３０】
なお、図４に示す表示部の表示データは、ユーザーインタフェースとして入力と表示を併せて行える液晶パネル（タッチパネル）を例としたものであるが、入力デバイスと表示デバイスを別な構成としてもよい。なお、その場合、表示デバイスとしては液晶パネルの他に有機ＥＬパネルやＬＥＤ表示パネル、入力デバイスとしてはボタンやスライドスイッチ、リモートコントローラーなどの利用が可能である。
【００３１】
次に、本発明の情報処理装置、すなわち、映像データを外部出力する装置例として、ＤＶＤプレーヤの構成例について、図５を参照して説明する。図５に示すＤＶＤプレーヤ３００はアップスケーラー３０７を備えたＤＶＤ再生装置であり、ＤＶＤドライブ３０１で再生された映像をアップスケーラー３０７によってＨＤ(High Definition)映像にアップスケーリングすることができる。
【００３２】
このＤＶＤプレーヤ３００のＨＤＭＩ端子３０８にＨＤ映像が表示可能なＴＶモニタ３１０を、ＨＤＭＩケーブル３０９を介して接続すると、制御部としてのＣＰＵ３０５の制御の下、ＤＶＤプレーヤ３００はＴＶモニタ３１０が表示可能なＨＤの映像フォーマットを取得する。さらに、制御部としてのＣＰＵ３０５は、得られた表示可能映像フォーマットのうちアップスケーラー３０７でアップスケーリング可能な映像フォーマットを選択し、ＤＶＤドライブ３０１において、ＤＶＤから再生されデコーダー２０２においてデコード処理されたデータを、データバス３０４を介してアップスケーラー３０７においてアップスケーリング処理を実行し、ＨＤＭＩ端子３０８を介してＴＶモニタ３１０に出力する。
【００３３】
これらの処理制御は、制御部としてのＣＰＵ３０５が、例えばＲＡＭ，ＲＯＭ等によって構成されるメモリ３０６に格納されたプログラムに従って実行する。ＣＰＵ３０５は、ＴＶモニタ３１０の表示可能映像フォーマットに適合する最適な出力映像フォーマットを決定し、決定されたフォーマットを持つデータを、ＨＤＭＩ端子３０８を介してＴＶモニタ３１０に出力する。
【００３４】
このデータ出力に際して、出力データのフォーマット情報が表示部（ＬＥＤパネル）３０３に表示される。例えば図６に示すように、ＤＶＤプレーヤの表示部３０３には、出力データのフォーマット情報として、
解像度＝１９２０×１０８０ｉ
であることが示され、出力データが、１６：９のモニタに対応する１９２０×１０８０の解像度、インタレース方式で出力されていることを確認することができる。
【００３５】
なお、ここでは映像再生装置としてＤＶＤプレーヤを例に挙げたが、映像を再生出力できる機器であればどのようなメディアを利用するものであってもかまわない。例えばＨＤＤレコーダーやＢＤプレーヤなどにおいても同様の出力データフォーマット情報の表示を行なう構成とすることができる。また、本例では、表示部としてはＬＥＤ表示パネルを例に挙げたが、他にも液晶パネルや有機ＥＬパネルなどを利用することが可能である。
【００３６】
次に、図７を参照して本発明情報処理装置の機能構成について説明する。なお、図７に示すブロック図は、上述した処理を実行するために必要となる構成要素を選択して示すブロック図である。図７に示すように、本発明の情報処理装置は、制御部４０１、データ処理部４０２、表示部４０３、データ出力部４０４を有する。
【００３７】
制御部４０１は、例えばＣＰＵであり、図示しないメモリに格納されたプログラムに従って、データ出力処理の制御を実行する。データ処理部４０２は、データ出力部４０４を介して出力するデータを記憶部などから取得し、出力データの生成、すなわち、フォーマット変換などを実行する。
【００３８】
表示部４０３は、データ出力部４０４を介して出力するデータのフォーマット情報を表示する。例えば、図３、図５を参照して説明したフォーマット情報である。データ出力部４０４は、例えばＨＤＭＩ端子であり、データ処理部４０２において生成されたフォーマットデータを外部に接続されたモニタに出力する。
【００３９】
制御部４０１は、データ出力部４０４を介してモニタなどのデータ表示装置が接続されると、データ表示装置の表示可能な映像フォーマット情報を取得し、出力すべきフォーマットを決定する。この決定処理においては、基本的にデータ表示装置の表示可能な映像フォーマットであり、自装置で出力可能なフォーマット中で最も高品質なデータフォーマットが選択される。
【００４０】
データ処理部４０２では、制御部４０１の決定したデータフォーマットの出力データを生成して、データ出力部４０４を介して出力する。制御部４０１は、データ出力に際して、出力されているデータのフォーマット情報を表示部４０３に出力する。なお、表示部４０３をユーザの操作情報を入力可能なＵＩとして入力部として利用する場合には、表示部を解するユーザ操作情報に応じて、制御部４０１は、操作情報に応じたデータ表示を実行する。具体的には、先に図４を参照して説明した様々な表示データが表示される。
【００４１】
表示情報には、出力されているデータのフォーマット情報が含まれ、具体的には、
ＴＶタイプ＝１６：９
解像度＝１９２０×１０８０ｉ
などの情報が表示されることになる。なお、その他のフォーマット情報としては、
ＴＶタイプ＝４：３
解像度＝１２８０×７２０ｐ，７２０×４８０ｐ，７２０×４８０ｉ，
などの各種のフォーマット情報が、出力フォーマットに応じて表示されることになる。
【００４２】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００４３】
なお、上述した実施例では、撮像装置等の情報処理装置と、ＰＣやプリンタなどの外部機器との通信手段としてＵＳＢケーブルを適用した処理例について説明したが、情報処理装置と外部機器としてのＰＣやプリンタとの接続はＵＳＢケーブルに限らず、その他の有線、無線の通信手段を適用した構成において上述した処理と同様の処理を実行する構成としてもよい。
【００４４】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００４５】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００４６】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００４７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００４８】
以上、説明したように、本発明の一実施例の構成によれば、例えば撮像装置や、ＤＶＤプレーヤなど映像データを外部出力する情報処理装置において、データ出力部を介して接続されたデータ出力先機器から表示可能なフォーマット情報を取得し、出力するデータについてのデータフォーマットを決定し、決定した出力データのデータフォーマット情報を、表示部に、継続的にまたはユーザからの要求に応じて表示する処理を実行する構成としたので、ユーザは、任意のタイミングで出力データのフォーマット情報を確認することが可能となる。
【図面の簡単な説明】
【００４９】
【図１】本発明の情報処理装置の一実施例としての撮像装置からのデータ出力構成および出力データのフォーマット情報の表示構成例について説明する図である。
【図２】本発明の情報処理装置の一実施例としての撮像装置の構成例について説明する図である。
【図３】本発明の情報処理装置の一実施例としての撮像装置の表示部に表示される出力データのフォーマット情報の表示例について説明する図である。
【図４】本発明の情報処理装置の一実施例としての撮像装置の表示部に表示される出力情報の遷移例について説明する図である。
【図５】本発明の情報処理装置の一実施例としてのＤＶＤプレーヤの構成例について説明する図である。
【図６】本発明の情報処理装置の一実施例としてのＤＶＤプレーヤの表示部に表示される出力データのフォーマット情報の表示例について説明する図である。
【図７】本発明の情報処理装置の機能を説明するブロック図である。
【符号の説明】
【００５０】
１００  撮像装置
１０１  外部出力端子
１０２  表示部
１１１  ケーブル
１１２  モニタ
１２０  画面
１２１  出力データフォーマット情報
２００  撮像装置
２０１  撮像部
２０２  映像処理部
２０３  音声処理部
２０４  マイク
２０５  記録メディア
２０６  データバス
２０７  ＣＰＵ
２０８  メモリ
２０９  映像フォーマット変換部
２１０  ＨＤＭＩ端子
２１１  表示部
２１２  ＨＤＭＩケーブル
２１３  ＴＶモニタ
３００  ＤＶＤプレーヤ
３０１  ＤＶＤドライブ
３０２  デコーダー
３０３  表示部
３０４  データバス
３０５  ＣＰＵ
３０６  メモリ
３０７  アップスケーラー
３０８  ＨＤＭＩ端子
３０９  ＨＤＭＩケーブル
３１０  ＴＶモニタ
４０１  制御部
４０２  データ処理部
４０３  表示部
４０４  データ出力部
【図１】
2007193157.tif 000003
【図２】
2007193157.tif 000004
【図３】
2007193157.tif 000005
【図４】
2007193157.tif 000006
【図５】
2007193157.tif 000007
【図６】
2007193157.tif 000008
【図７】
2007193157.tif 000009